(57)【要約】【課題】動脈に対する圧迫力の不足が生じ難い血圧情報測定装置用カフを提供する。【解決手段】カフ１０Ａは、圧迫用空気袋３０と、カーラ１２と、締付けベルト２０とを備える。圧迫用空気袋３０は、橈骨動脈２１２、尺骨動脈２２２、腱２３０が位置する部分の手首表面を覆うように配置される。カーラ１２は、圧迫用空気袋３０の外側に位置し、手首に沿わせて宛がわれる。締付けベルト２０は、カーラ１２を手首に向けて締め付け、これにより圧迫用空気袋３０を手首に向けて押し付ける。締付けベルト２０は、その長手方向の一端部２０ａが装着状態において橈骨動脈２１２が位置する部分の手首表面と尺骨動脈２２２が位置する部分の手首表面との間に宛がわれた部分のカーラ１２に固定され、カーラ１２の周方向の他端部１２ａ寄りの部分を覆った状態でカーラ１２の一端部に設けられた引っ掛け部に引っ掛けられることで折り返されて固定される。【選択図】図３
2010119447.tif 000002
【特許請求の範囲】
【請求項１】
血圧情報を測定するために手首に装着されて使用される血圧情報測定装置用カフであって、
装着状態において、橈骨動脈が位置する部分の手首表面および尺骨動脈が位置する部分の手首表面のいずれをも覆うとともに、腱が位置する部分の手首表面を跨ぐように配置される圧迫用流体袋と、
装着状態において、前記圧迫用流体袋の外側に位置し、手首に沿わせて宛がわれる宛がい部材と、
装着状態において、前記宛がい部材を手首に向けて締め付け、これにより前記圧迫用流体袋を手首に向けて押し付ける締付けベルトと、
前記締付けベルトにて前記宛がい部材を締付けた状態を維持するための固定手段とを備え、
前記締付けベルトは、その長手方向の一端部が装着状態において橈骨動脈が位置する部分の手首表面と尺骨動脈が位置する部分の手首表面との間に宛がわれた部分の前記宛がい部材に固定されており、
前記宛がい部材は、周方向の一端部に前記締付けベルトを引っ掛け可能な引っ掛け部を有しており、
前記締付けベルトが、前記宛がい部材の周方向の他端部寄りの部分を覆った状態で前記引っ掛け部に引っ掛けられることで折り返され、この折り返された部分が折り返されていない部分の前記締付けベルトに前記固定手段によって固定されることにより、前記宛がい部材が前記締付けベルトによって締付けられた状態とされ得る、血圧情報測定装置用カフ。
【請求項２】
前記宛がい部材は、周方向の他端部に前記締付けベルトが挿通される挿通孔を有している、請求項１に記載の血圧情報測定装置用カフ。
【請求項３】
前記宛がい部材は、径方向に弾性変形可能に構成された湾曲弾性板を含んでいる、請求項１または２に記載の血圧情報測定装置用カフ。
【請求項４】
前記宛がい部材は、略同一形状のパーツを複数個周方向に並べて配置し、これら周方向に並べて配置された複数のパーツのうちの隣接するもの同士を回転可能に連結することで構成された自在変形部材を含んでいる、請求項１または２に記載の血圧情報測定装置用カフ。
【請求項５】
前記宛がい部材は、長手方向に伸縮性を有さない布製の帯状部材を含んでいる、請求項１または２に記載の血圧情報測定装置用カフ。
【請求項６】
前記固定手段は、前記締付けベルトに設けられた面ファスナからなる、請求項１から５のいずれかに記載の血圧情報測定装置用カフ。
【請求項７】
前記引っ掛け部は、前記締付けベルトが挿通される挿通孔を前記宛がい部材の前記一端部に設けられることで構成されている、請求項１から６のいずれかに記載の血圧情報測定装置用カフ。
【請求項８】
前記引っ掛け部は、前記宛がい部材の前記一端部に取付けられたリング状部材によって構成されている、請求項１から６のいずれかに記載の血圧情報測定装置用カフ。
【請求項９】
装着状態において、前記宛がい部材の前記他端部寄りの部分と前記締付けベルトとの間に配置され、膨張することで前記宛がい部材の前記他端部寄りの部分を手首に向けて押圧する押圧用流体袋をさらに備えた、請求項１から８のいずれかに記載の血圧情報測定装置用カフ。
【請求項１０】
装着状態において、橈骨動脈が位置する部分の生体組織および尺骨動脈が位置する部分の生体組織のいずれかに向けて光を照射する発光部と、生体組織を透過後の前記光を受光する受光部とを含み、受光した光の光量に応じた出力信号を出力する光電センサをさらに備えた、請求項１から９のいずれかに記載の血圧情報測定装置用カフ。
【請求項１１】
請求項１から９のいずれかに記載の血圧情報測定装置用カフと、
前記圧迫用流体袋を膨縮させる膨縮機構と、
前記圧迫用流体袋内の圧力を検知する圧力検知部と、
前記圧力検知部によって検知された圧力情報に基づいて血圧値を算出する血圧値算出部とを備えた、血圧情報測定装置。
【請求項１２】
請求項１０に記載の血圧情報測定装置用カフと、
前記発光部を発光させるための駆動部と、
前記光電センサから出力された出力信号に基づいて受光量の変動を検出する受光量検出部と、
前記受光量検出部にて得られた情報に基づいて容積脈波を取得する容積脈波取得部とを備えた、血圧情報測定装置。
【発明の詳細な説明】
【技術分野】
【０００１】
本発明は、血圧情報測定装置用カフおよびこれを備えた血圧情報測定装置に関し、より特定的には、手首に装着されて使用される血圧情報測定装置用カフおよびこれを備えた血圧情報測定装置に関する。
【背景技術】
【０００２】
被験者の血圧情報を測定することは、被験者の健康状態を知る上で非常に重要なことである。近年では、従来から健康管理の代表的な指標として広くその有用性が認められている収縮期血圧値、拡張期血圧値等を測定することに限られず、種々の血圧情報から健康状態に関する様々な情報を取得する試みがなされている。新たな試みとしては、たとえば被験者の脈波を取得することによって心臓負荷の状態や動脈の硬さの変化等を捉える技術が挙げられる。血圧情報測定装置は、測定した血圧情報に基づいてこれら健康管理のための指標を得るための装置であり、循環器系の疾患の早期発見や予防、治療等の分野においてさらなる活用が期待されている。なお、上述した血圧情報には、収縮期血圧値、拡張期血圧値、平均血圧値、脈波、脈拍、ＡＩ（Augmentation Index）値等、循環器系の種々の情報が広く含まれる。
【０００３】
一般に、血圧情報の測定には、流体袋を内包する血圧情報測定装置用カフ（以下、単にカフとも称する）が利用される。ここで、カフとは、内腔を有する帯状の構造物であって生体の一部に巻付けが可能なものを意味し、気体や液体等の流体を内腔に注入することにより流体袋を膨張・収縮させて血圧情報の測定に利用されるもののことを指す。たとえば、収縮期血圧値や拡張期血圧値等の血圧値を測定するための血圧情報測定装置（以下、単に血圧計とも称する）においては、動脈を圧迫するための流体袋を内包するカフを生体の体表面に巻付け、巻付けられた流体袋を膨張・収縮させて動脈圧脈波を流体袋の内圧の変化として捉えることにより、血圧値の測定が行なわれる。なお、特に腕に巻き付けられて使用されるカフは、腕帯あるいはマンシェットとも呼ばれる。
【０００４】
手首に巻き付けられて使用されるカフとしては、たとえば、特開昭６１−１１０１９号公報（特許文献１）に開示のものや特開平１−２６５９４１号公報（特許文献２）に開示のものがある。上記特許文献１に開示のカフにあっては、カフに内包される空気袋によって手首中に延在する橈骨動脈近傍の生体組織かあるいは尺骨動脈近傍の生体組織のいずれかが局所的に圧迫されるように構成されており、上記特許文献２に開示のカフにあっては、手首中に延在する橈骨動脈近傍の生体組織と尺骨動脈近傍の生体組織とが独立して設けられた空気袋によってそれぞれ局所的に圧迫されるように構成されている。
【特許文献１】特開昭６１−１１０１９号公報
【特許文献２】特開平１−２６５９４１号公報
【発明の開示】
【発明が解決しようとする課題】
【０００５】
しかしながら、上記特許文献１および２に開示の構成のカフとした場合には、空気袋によって覆われることとなる手首表面の周方向長さが短いため、皮下に位置する橈骨動脈または尺骨動脈を十分に圧迫できないという問題があった。動脈に対する圧迫力に不足が生じた場合には、血圧値の測定精度が大幅に低下してしまう問題が生じる。
【０００６】
この問題を解決するためには、空気袋によって覆われることとなる手首表面の周方向長さを長くし、たとえば橈骨動脈と尺骨動脈との間に位置する腱に対応する部分の手首表面までもが空気袋によって覆われるように構成することが考えられる。しかしながら、そのように構成した場合にも、腱が位置する部分近傍の生体組織が比較的軟質であるため、当該腱が位置する部分に対応する部分において空気袋が大きく膨張してしまい、その結果圧迫対象である動脈に対する圧迫力に不足が生じてしまう問題が起こる。したがって、上記構成とした場合にも、やはり血圧値の測定精度が低下してしまう問題が解消できない。
【０００７】
また、光電センサ等の容積脈波検出手段を用いて容積脈波を測定する血圧情報測定装置（以下、単に脈波計とも称する）においても、上述した血圧計と同様に、動脈を圧迫するための空気袋がカフに具備される構成が採用される。当該脈波計のカフにおいては、空気袋自体あるいは当該空気袋が設けられた部分近傍のカフに、上述した光電センサ等の容積脈波検出手段が取付けられることになるが、ここで上記特許文献１および２に開示の如くの構成のカフとした場合には、空気袋の膨らみ方の如何によって容積脈波検出手段に傾きが生じる場合があり、正確な容積脈波の測定が行なえないという問題を招来してしまうことがある。
【０００８】
したがって、本発明は、上述の問題点を解決すべくなされたものであり、動脈に対する圧迫力の不足が生じ難い血圧情報測定装置用カフおよびこれを備えた血圧情報測定装置を提供することを目的とする。
【０００９】
また、本発明は、光電センサ等の容積脈波検出手段を備えた血圧情報測定装置において、当該容積脈波検出手段によって高精度に容積脈波の測定が行なえる血圧情報測定装置用カフおよびこれを備えた血圧情報測定装置を提供することを目的とする。
【課題を解決するための手段】
【００１０】
本発明に基づく血圧情報測定装置用カフは、血圧情報を測定するために手首に装着されて使用されるものであって、圧迫用流体袋と、宛がい部材と、締付けベルトと、固定手段とを備えている。上記圧迫用流体袋は、装着状態において、橈骨動脈が位置する部分の手首表面および尺骨動脈が位置する部分の手首表面のいずれをも覆うとともに、腱が位置する部分の手首表面を跨ぐように配置される。上記宛がい部材は、装着状態において、上記圧迫用流体袋の外側に位置し、手首に沿わせて宛がわれる。上記締付けベルトは、装着状態において、上記宛がい部材を手首に向けて締め付け、これにより上記圧迫用流体袋を手首に向けて押し付ける。上記固定手段は、上記締付けベルトにて上記宛がい部材を締付けた状態を維持する。上記締付けベルトは、その長手方向の一端部が装着状態において橈骨動脈が位置する部分の手首表面と尺骨動脈が位置する部分の手首表面との間に宛がわれた部分の上記宛がい部材に固定されている。上記宛がい部材は、周方向の一端部に上記締付けベルトを引っ掛け可能な引っ掛け部を有している。そして、当該血圧情報測定装置用カフにあっては、上記締付けベルトが上記宛がい部材の周方向の他端部寄りの部分を覆った状態で上記引っ掛け部に引っ掛けられることで折り返され、この折り返された部分が折り返されていない部分の上記締付けベルトに上記固定手段によって固定されることにより、上記宛がい部材が上記締付けベルトによって締付けられた状態とされ得るように構成されている。
【００１１】
上記本発明の血圧情報測定装置用カフにあっては、上記宛がい部材が、周方向の他端部に上記締付けベルトが挿通される挿通孔を有していることが好ましい。
【００１２】
上記本発明の血圧情報測定装置用カフにあっては、上記宛がい部材が、径方向に弾性変形可能に構成された湾曲弾性板を含んでいることが好ましい。
【００１３】
上記本発明の血圧情報測定装置用カフにあっては、上記宛がい部材が、略同一形状のパーツを複数個周方向に並べて配置し、これら周方向に並べて配置された複数のパーツのうちの隣接するもの同士を回転可能に連結することで構成された自在変形部材を含んでいることが好ましい。
【００１４】
上記本発明の血圧情報測定装置用カフにあっては、上記宛がい部材が、長手方向に伸縮性を有さない布製の帯状部材を含んでいることが好ましい。
【００１５】
上記本発明の血圧情報測定装置用カフにあっては、上記固定手段が、上記締付けベルトに設けられた面ファスナにて構成されていることが好ましい。
【００１６】
上記本発明の血圧情報測定装置用カフにあっては、上記引っ掛け部が、上記締付けベルトが挿通される挿通孔を上記宛がい部材の上記一端部に設けられることで構成されていることが好ましい。
【００１７】
上記本発明の血圧情報測定装置用カフにあっては、上記引っ掛け部が、上記宛がい部材の上記一端部に取付けられたリング状部材によって構成されていることが好ましい。
【００１８】
好適には、上記本発明の血圧情報測定装置用カフは、装着状態において、上記宛がい部材の上記他端部寄りの部分と上記締付けベルトとの間に配置され、膨張することで上記宛がい部材の上記他端部寄りの部分を手首に向けて押圧する押圧用流体袋をさらに備えている。
【００１９】
本発明の第１の局面に基づく血圧情報測定装置用カフは、上述のいずれかの血圧情報測定装置用カフと、上記圧迫用流体袋を膨縮させる膨縮機構と、上記圧迫用流体袋内の圧力を検知する圧力検知部と、上記圧力検知部によって検知された圧力情報に基づいて血圧値を算出する血圧値算出部とを備えている。
【００２０】
好適には、上記本発明の血圧情報測定装置用カフは、装着状態において、橈骨動脈が位置する部分の生体組織および尺骨動脈が位置する部分の生体組織のいずれかに向けて光を照射する発光部と、生体組織を透過後の上記光を受光する受光部とを含み、受光した光の光量に応じた出力信号を出力する光電センサをさらに備えている。
【００２１】
本発明の第２の局面に基づく血圧情報測定装置は、上述の血圧情報測定装置用カフと、上記発光部を発光させるための駆動部と、上記光電センサから出力された出力信号に基づいて受光量の変動を検出する受光量検出部と、上記受光量検出部にて得られた情報に基づいて容積脈波を取得する容積脈波取得部とを備えている。
【発明の効果】
【００２２】
本発明によれば、動脈に対する圧迫力の不足が生じ難い血圧情報測定装置用カフおよびこれを備えた血圧情報測定装置とすることができる。
【００２３】
また、本発明によれば、容積脈波検出手段によって高精度に容積脈波の測定が行なえる血圧情報測定装置用カフおよびこれを備えた血圧情報測定装置とすることができる。
【発明を実施するための最良の形態】
【００２４】
以下、本発明の実施の形態について、図を参照して詳細に説明する。以下に示す実施の形態においては、同一または近似の部分について図中同一の符号を付し、その説明は繰り返さない。
【００２５】
（実施の形態１）
本発明の実施の形態１における血圧情報測定装置は、手首中を延在する橈骨動脈をカフに内包された空気袋を用いて圧迫し、橈骨動脈の内圧の変動を空気袋の内圧の変動として捉え、これに基づいて収縮期血圧値および拡張期血圧値等の血圧値を測定する、いわゆる手首式の血圧計である。
【００２６】
図１は、本発明の実施の形態１における血圧計の外観構造を示す斜視図である。また、図２は、図１に示す血圧計の機能ブロックの構成を示すブロック図である。まず、これら図１および図２を参照して、本実施の形態における血圧計の構成について説明する。
【００２７】
図１に示すように、本実施の形態における血圧計１００Ａは、本体１１０とカフ１０Ａとを備えている。本体１１０は、箱状のケーシングを有しており、当該ケーシングの上面に表示部１６０および操作部１９０を有している。カフ１０Ａは、手首に巻付けが可能な帯状の形状を有しており、袋状の外装カバー１１によってその表面が概ね覆われている。本実施の形態における血圧計１００Ａにあっては、小型化および取扱い性の向上の観点から、カフ１０Ａの外周面上の所定位置に本体１１０が付設されている。
【００２８】
図２に示すように、本体１１０は、上述の表示部１６０および操作部１９０に加え、ＣＰＵ（Central Processor Unit）１３０、メモリ部１７０および電源部１８０を備えている。ＣＰＵ１３０は、血圧計１００Ａの各部を集中的に制御および監視することにより血圧計１００Ａの全体を制御するための制御手段である。メモリ部１７０は、ＲＯＭ（Read-Only Memory）やＲＡＭ（Random-Access Memory）にて構成されており、血圧値を測定するための処理手順をＣＰＵ１３０等に実行させるためのプログラムを記憶したり、測定結果等を記録したりするための手段である。表示部１６０は、たとえばＬＣＤ（Liquid Crystal Display）等によって構成され、測定結果等を表示するための手段である。操作部１９０は、被験者等による操作を受け付けてこの外部からの命令をＣＰＵ１３０や電源部１８０に入力するための手段である。電源部１８０は、ＣＰＵ１３０に電源としての電力を供給するための手段である。ＣＰＵ１３０は、血圧値算出部としても機能し、後述する発振回路１４７から入力された信号に基づき、収縮期血圧値および拡張期血圧値等の血圧値を算出する。ＣＰＵ１３０は、測定結果としての血圧値をメモリ部１７０や表示部１６０に入力する。
【００２９】
また、本体１１０は、エア系コンポーネント１４０と、これに付随する各種回路とを備えている。エア系コンポーネント１４０は、後述する圧迫用空気袋３０に対応して設けられたものであり、加圧ポンプ１４１、排気弁１４２および圧力センサ１４３を含んでいる。加圧ポンプ１４１、排気弁１４２および圧力センサ１４３は、それぞれエア管８１を介して後述する圧迫用空気袋３０に接続されている。本体１１０には、これら加圧ポンプ１４１、排気弁１４２および圧力センサ１４３に応じて加圧ポンプ駆動回路１４５、排気弁駆動回路１４６および発振回路１４７がそれぞれ設けられている。
【００３０】
加圧ポンプ１４１は、圧迫用空気袋３０の内部に空気を送り込むことにより圧迫用空気袋３０を膨張させるための加圧手段である。加圧ポンプ駆動回路１４５は、ＣＰＵ１３０から入力される制御信号に基づいて加圧ポンプ１４１の動作を制御する。排気弁１４２は、開状態において圧迫用空気袋３０の内部の空間から空気を外部に排気して圧迫用空気袋３０を収縮させるための減圧手段であり、閉状態において圧迫用空気袋３０の内圧を維持する圧力維持手段でもある。排気弁駆動回路１４６は、ＣＰＵ１３０から入力される制御信号に基づいて排気弁１４２の開閉動作を制御する。なお、加圧ポンプ１４１および排気弁１４２が、圧迫用空気袋３０の内圧を調整する膨縮機構に相当する。
【００３１】
圧力センサ１４３は、圧迫用空気袋３０の内圧を検出する圧力検知部に相当し、圧迫用空気袋３０の内圧に応じた出力信号を発振回路１４７に向けて出力する。発振回路１４７は、圧力センサ１４３から入力された信号に応じた発振周波数の信号を生成し、生成した信号をＣＰＵ１３０に向けて出力する。
【００３２】
図２に示すように、カフ１０Ａは、圧迫用流体袋としての圧迫用空気袋３０を備えている。圧迫用空気袋３０は、上述した外装カバー１１の内部に収容されている。圧迫用空気袋３０は、エア管８１を介して上述したエア系コンポーネント１４０に接続されている。
【００３３】
図３および図４は、図１に示すカフを手首に装着した状態を示す図であり、図３は圧迫用空気袋を膨張させる前の状態を示す断面図であり、図４は膨張させた後の状態を示す断面図である。次に、これら図３および図４を参照して、本実施の形態における血圧計のカフの構造について詳説する。なお、図３および図４に示す手首の断面は、左手の手首を中枢側から末梢側に向けて見た場合のものであり、図３および図４においては、カフの表面を覆う外装カバーの図示を省略している。
【００３４】
図３および図４に示すように、手首２００の内部には、橈骨２１０および尺骨２２０が位置しており、手首２００の表層部分には、橈骨動脈２１２、尺骨動脈２２２および腱２３０が位置している。腱２３０は、橈骨動脈２１２と尺骨動脈２２２との間に位置している。本実施の形態におけるカフ１０Ａは、これらの生体組織を含む手首２００に巻付けられて使用され、２つの動脈のうちの特に橈骨動脈２１２を圧迫用空気袋３０を用いて選択的に圧迫して血圧値の測定を行なうものである。
【００３５】
カフ１０Ａは、圧迫用空気袋３０に加え、宛がい部材としてのカーラ１２と、締付けベルト２０とを備えている。カーラ１２は、装着状態において手首２００を取り囲むように宛がわれる部材であり、締付けベルト２０は、手首２００に宛がわれたカーラ１２を手首２００に向けて締め付けて圧迫用空気袋３０を手首２００に向けて押し付けるための部材である。カーラ１２は、圧迫用空気袋３０とともに上述した外装カバー１１（図１参照）に収容されており、締付けベルト２０は、その大部分が外装カバー１１の外部に引き出された状態とされている。外装カバー１１は、装着状態において手首２００の表面に接触することとなる内布と、装着状態において内布よりも外側に位置することとなる外布とを重ね合わせての周縁を接合（たとえば縫合や溶着等）することによって袋状に形成されており、その内部に上述した圧迫用空気袋３０とカーラ１２が主として収容されている。
【００３６】
圧迫用空気袋３０は、手首２００中を延在する橈骨動脈２１２を圧迫するために、装着状態において橈骨動脈２１２が位置する部分の手首２００の表面を含む部分を覆うように配置される。より詳細には、圧迫用空気袋３０は、橈骨動脈２１２が位置する部分の手首２００の表面および尺骨動脈２２２が位置する部分の手首２００の表面のいずれをも覆うとともに、腱２３０が位置する部分の手首２００の表面を跨ぐ大きさに形成されており、装着状態において、これら橈骨動脈２１２が位置する部分の手首２００の表面、腱２３０が位置する部分の手首２００の表面、および尺骨動脈２２２が位置する部分の手首２００の表面をすべて覆うように配置される。特に、本実施の形態におけるカフ１０Ａにおいては、圧迫用空気袋３０が、橈骨動脈２１２が位置する部分の手首２００の表面を中心に、手首２００の周方向に沿って手首２００の概ね半分の領域（図３中に示す領域Ｃ）を覆うように構成されている。
【００３７】
圧迫用空気袋３０は、好適には樹脂シートを用いて形成された袋状の部材からなる。圧迫用空気袋３０としては、たとえば２枚の樹脂シートを重ね合わせ、その周縁を溶着することによって袋状に形成されたものが利用される。圧迫用空気袋３０の内部の空間は、図示しないニップルを介して上述のエア管８１に接続されており、上述のエア系コンポーネント１４０のうちの加圧ポンプ１４１および排気弁１４２によってその加減圧が行なわれる。なお、圧迫用空気袋３０を構成する樹脂シートの材質としては、伸縮性に富んでおり溶着後において膨縮空間からの漏気がないものであればどのようなものでも利用可能である。このような観点から、樹脂シートの好適な材質としては、エチレン−酢酸ビニル共重合体（ＥＶＡ）、軟質塩化ビニル（ＰＶＣ）、ポリウレタン（ＰＵ）、ポリアミド（ＰＡ）、生ゴム等が挙げられる。
【００３８】
カーラ１２は、手首２００に沿う形状となるように略筒状に形成された湾曲弾性板からなり、装着状態において圧迫用空気袋３０の外側に位置している。カーラ１２は、軸方向に沿って延びる切れ目をその周方向に１箇所有しており、これにより周方向に沿って対峙する一端部１２ａおよび他端部１２ｂを有している。ここで、カーラ１２に設けられる上記切れ目は、好ましくは装着状態において手首２００の甲側に対応する部分に設けられ、本実施の形態におけるカフ１０Ａにあっては、図３および図４に示すように、尺骨茎状突起が位置する部分の手首２００に対応する部分に設けられている。カーラ１２は、自身の筒状形態を維持するとともに、径方向に弾性変形可能となるように構成されている。
【００３９】
カーラ１２は、圧迫用空気袋３０に比較して剛性の高い部材にて構成されており、好適には可撓性の部材にて構成される。この観点から、カーラ１２としては、たとえばポリプロピレン（ＰＰ）等の樹脂材料を原料として射出成形によって形成されたものや、プレス加工等によって成形されたアルミニウム（Ａｌ）またはその合金、黄銅等の金属材料からなるもの等が好適に利用される。
【００４０】
カーラ１２の一端部１２ａおよび他端部１２ｂには、それぞれ挿通孔１２ａ１，１２ｂ１が設けられている。また、カーラ１２の一端部１２ａと他端部１２ｂとの間の所定位置には、固定用孔１２ｃ１が設けられている。これら挿通孔１２ａ１，１２ｂ１および固定用孔１２ｃ１は、いずれもカーラ１２の表裏面を貫通するように設けられている。ここで、カーラ１２の一端部１２ａに設けられた挿通孔１２ａ１は、当該カーラ１２の一端部１２ａに締付けベルト２０を引っ掛け可能にするための引っ掛け部を形成するための孔である。また、固定用孔１２ｃ１の内部には、カーラ１２の軸方向に沿って棒状に延びる固定用の取付部１２ｃが設けられている。この取付部１２ｃには、締付けベルト２０の一端部２０ａが固定される。
【００４１】
締付けベルト２０は、上述したようにカーラ１２を手首２００に向けて締め付けて圧迫用空気袋３０を手首２００に向けて押し付けるための部材であり、カフ１０Ａの周方向に沿って延びる柔軟な長尺の部材からなる。締付けベルト２０は、長手方向に一端部２０ａと他端部２０ｂとを有しており、締付けベルト２０の長手方向の他端部２０ｂ寄りの外周面上には、面ファスナ２４が取付けられている。締付けベルト２０は、非伸縮性かあるいは若干の伸縮性を有する部材にて構成されていることが好ましく、たとえば布や合成樹脂等の帯状の部材からなる。面ファスナ２４は、締付けベルト２０にてカーラ１２を締付けた状態を維持するための固定手段に相当し、被固定面としての締付けベルト２０の表面に宛がわれることで当該宛がわれた部分の締付けベルト２０に固定される。
【００４２】
締付けベルト２０の長手方向の一端部２０ａは、上述したカーラ１２の取付部１２ｃに固定されている。より詳細には、締付けベルト２０の一端部２０ａがカーラ１２の固定用孔１２ｃ１に挿し込まれ、棒状の取付部１２ｃに巻き付けられた状態で締付けベルト２０の所定位置に向かって折り返され、当該位置において折り返されていない部分の締付けベルト２０に縫合等によって固定されることにより、締付けベルト２０の一端部２０ａが取付部１２ｃに固定される。
【００４３】
締付けベルト２０は、装着状態においてカーラ１２の他端部１２ｂ寄りの部分を覆うように巻き付けられ、カーラ１２の他端部１２ｂに設けられた挿通孔１２ｂ１に対して外側から内側に向けて挿し込まれ、さらにカーラ１２の一端部１２ａに設けられた挿通孔１２ａ１に対して内側から外側に向けて挿し込まれている。そして、締付けベルト２０は、当該挿通孔１２ａ１に挿入されることでカーラ１２の一端部１２ａに位置する引っ掛け部に引っ掛けられた状態とされ、当該引っ掛け部を基点に折り返されてこの折り返された部分が折り返されていない部分の締付けベルト２０に重ね合わされることで上述した面ファスナ２４によって固定される。
【００４４】
ここで、本実施の形態におけるカフ１０Ａにおいては、カーラ１２に設けられる固定用孔１２ｃ１が、装着状態において橈骨動脈２１２が位置する部分の手首２００の表面と尺骨動脈２２２が位置する部分の手首２００の表面との間に宛がわれた部分のカーラ１２に設けられている。したがって、締付けベルト２０の一端部２０ａは、装着状態において橈骨動脈２１２が位置する部分の手首２００の表面と尺骨動脈２２２が位置する部分の手首２００の表面との間に宛がわれた部分（図中において領域Ｄで示す部分）のカーラ１２に固定されることになる。
【００４５】
このように構成することにより、カフ１０Ａの手首２００への装着に際して、引っ掛け部に引っ掛けられた締付けベルト２０の他端部２０ｂ寄りの部分を当該引っ掛け部から遠ざかる方向に引っ張ることにより、締付けベルト２０によってカーラ１２が手首２００に向けて締め付けられた状態とすることができ、この締付けベルト２０を引っ張った状態を維持しつつ、上述した面ファスナ２４によって締付けベルト２０を固定することにより、カーラ１２によって圧迫用空気袋３０が手首２００に向けて押し付けられた状態とすることができる。そして、この状態で面ファスナ２４による締付けベルト２０の固定を行なうことにより、カーラ１２によって圧迫用空気袋３０が手首２００に向けて押し付けられた状態を維持しつつカフ１０Ａを手首２００に装着させることができる。
【００４６】
当該装着状態においては、引っ掛け部が設けられたカーラ１２の一端部１２ａと取付部１２ｃが設けられた部分とを基点として、カフ１０Ａの周方向に沿ってカーラ１２に図中に示すＡ１，Ａ２方向およびＢ１，Ｂ２方向にそれぞれ引っ張り力が発生する。ここで、引っ掛け部が設けられたカーラ１２の一端部１２ａと取付部１２ｃが設けられた部分とは、手首２００を挟んで概ね反対側に位置しているため、上述した引っ張り力は、それぞれカーラ１２の周方向にわたってほぼ均等に加わることになる。したがって、図４に示すように、圧迫用空気袋３０が膨張した状態においても、手首２００の腱２３０が位置する部分や手首２００の尺骨動脈２２２が位置する部分に対応する部分のカーラ１２が手首２００から浮き上がることがなく、これら部分においても圧迫用空気袋３０が手首２００に向けて適度に押し付けられるようになり、圧迫用空気袋３０によってこれらの部分が適度に圧迫されるようになる。また、手首２００の橈骨動脈２１２が位置する部分においては、圧迫用空気袋３０が所定のストロークＥをもって確実に膨張することになり、橈骨動脈２１２が位置する部分近傍の生体組織が確実に圧迫用空気袋３０によって圧迫されるようになる。
【００４７】
図５は、本実施の形態における血圧計の血圧値の測定処理の流れを示すフローチャートである。次に、この図５を参照して、本実施の形態における血圧計の血圧値の測定処理の流れについて説明する。なお、このフローチャートに従うプログラムは、メモリ部１７０に予め記憶されて、ＣＰＵ１３０がメモリ部１７０からこのプログラムを読み出し実行することにより血圧値の測定処理が行なわれる。
【００４８】
図５に示すように、被験者が血圧計１００Ａの操作部１９０の操作ボタンを操作して電源をオンにすると、電源部１８０からＣＰＵ１３０に対して電源としての電力が供給され、これによりＣＰＵ１３０が駆動し、血圧計１００Ａの初期化がなされる（ステップＳ１０１）。ここで、被験者は、予めカフ１０Ａを手首２００に装着しておく。
【００４９】
次に、ＣＰＵ１３０は、測定可能状態になると、排気弁１４２を閉塞させるとともに加圧ポンプ１４１の駆動を開始し、圧迫用空気袋３０のカフ圧を上昇させる（ステップＳ１０２）。この圧迫用空気袋３０を加圧する過程において、血圧値測定のための所定レベルにまでカフ圧が達すると、ＣＰＵ１３０は、加圧ポンプ１４１を停止し、次いで閉じていた排気弁１４２を徐々に開放させて圧迫用空気袋３０内の空気を徐々に排気し、カフ圧を徐々に減圧させる（ステップＳ１０３）。本実施の形態における血圧計１００Ａにおいては、このカフ圧の微速減圧過程において血圧値を測定する。
【００５０】
次に、ＣＰＵ１３０は公知の手順で収縮期血圧値および拡張期血圧値等の血圧値を算出する（ステップＳ１０４）。具体的には、圧迫用空気袋３０のカフ圧が徐々に減圧する過程において、ＣＰＵ１３０は、発振回路１４７から得られる発振周波数に基づき脈波情報を抽出する。そして、抽出された脈波情報により血圧値を算出する。ステップＳ１０４において血圧値が算出されると、ＣＰＵ１３０は、算出された血圧値を表示部１６０に表示する（ステップＳ１０５）。
【００５１】
その後、ＣＰＵ１３０は、圧迫用空気袋３０を開放し、これら空気袋内の空気を完全に排気する（ステップＳ１０６）。以上により、血圧値の測定が完了する。なお、以上において説明した測定方式は、圧迫用空気袋３０の減圧時に脈波を検出するいわゆる減圧測定方式に基づいたものであるが、その説明はここでは省略するが、圧迫用空気袋３０の加圧時に脈波を検出するいわゆる加圧測定方式を採用することも当然に可能である。
【００５２】
以上において説明した本実施の形態におけるカフ１０Ａにあっては、上述したように、カフ１０Ａを手首２００に装着して血圧値を測定する際に、宛がい部材としてのカーラ１２を手首２００に向けてその周方向にわたって均等に締め付けることが可能になるため、圧迫対象である橈骨動脈２１２に対しては、所定のストロークをもってこれを圧迫用空気袋３０によって橈骨２１０側に向けて圧迫することが可能であり、また腱２３０や尺骨動脈２２２が位置する部分においても圧迫用空気袋３０によって手首２００を深さ方向に向けて適度な圧迫力にてこれを圧迫することができる。したがって、圧迫用空気袋３０による圧迫力を効率的に圧迫対象である橈骨動脈２１２に対して作用させることができ、橈骨動脈２１２をその周方向においてより均等に圧迫することができるようになる。したがって、上記構成のカフ１０Ａとすることにより、橈骨動脈２１２に対する圧迫力の不足を生じ難くすることができ、その結果、当該構成のカフ１０Ａを備えた血圧計１００Ａとすることにより、高精度に血圧値を測定することが可能になる。
【００５３】
図６ないし図９は、本実施の形態におけるカフの第１ないし第４変形例を示す断面図である。また、図１０は、第４変形例に係るカフの自在変形部材を構成するパーツの連結構造を説明するための模式平面図である。次に、これら図６ないし図９を参照して、本実施の形態の第１ないし第４変形例に係るカフの具体的な構造について説明する。なお、図６ないし図９においても、図３および図４と同様に、カフの表面を覆う外装カバーの図示は省略している。
【００５４】
（第１変形例）
図６に示すように、第１変形例に係るカフ１０Ｂは、上述の本実施の形態におけるカフ１０Ａと宛がい部材の構成において相違している。上述の本実施の形態におけるカフ１０Ａにおいては、宛がい部材として、周方向に１箇所のみ切れ目を有する筒状の湾曲弾性板を用いた場合を示したが、本変形例に係るカフ１０Ｂにおいては、手首２００に沿うように構成された２つの湾曲弾性板、これら２つの湾曲弾性板を連結するリング状部材、および２つの湾曲弾性板の周方向端部に取付けられたリング状部材にて宛がい部材を構成している。
【００５５】
具体的には、図６に示すように、本変形例に係るカフ１０Ｂは、２つの分割カーラ１３，１４と、これら分割カーラ１３，１４を連結するリング状部材１５ｃと、分割カーラ１３，１４のリング状部材１５ｃによって連結されていない方の周方向端部に取付けられたリング状部材１５ａ，１５ｂとを備えている。分割カーラ１３は、手首２００の橈骨２１０が位置する側の表面に沿うような形状に構成されており、分割カーラ１４は、手首２００の尺骨２２０が位置する側の表面に沿うような形状に構成されている。分割カーラ１３の周方向の一端部１３ａには、リング状部材１５ａが取付けられており、分割カーラ１３の周方向の他端部１３ｂには、リング状部材１５ｃが取付けられている。また、分割カーラ１４の周方向の一端部１４ａには、リング状部材１５ｃが取付けられており、分割カーラ１４の周方向の他端部１４ｂには、リング状部材１５ｂが取付けられている。
【００５６】
リング状部材１５ａ，１５ｂは、いずれもたとえば金属材料や硬質の樹脂材料にて構成された略矩形状の外形を有する部材からなり、締付けベルト２０を挿通可能な開口部を有している。このうち、リング状部材１５ａの開口部は、分割カーラ１３の一端部１３ａに締付けベルト２０を引っ掛け可能にするための引っ掛け部を形成するための孔である。一方、リング状部材１５ｃは、たとえば金属材料や硬質の樹脂材料にて構成されており、棒状に延びる取付部１５ｃ１が設けられた略矩形状の外形を有する部材からなる。このリング状部材１５ｃに設けられた取付部１５ｃ１には、締付けベルト２０の一端部２０ａが固定される。
【００５７】
締付けベルト２０は、装着状態において分割カーラ１４を覆うように巻き付けられ、分割カーラ１４の他端部１４ｂに取付けられたリング状部材１５ｂの開口部に対して外側から内側に向けて挿し込まれ、さらに分割カーラ１３の一端部１３ａに取付けられたリング状部材１５ａの開口部に対して内側から外側に向けて挿し込まれている。そして、締付けベルト２０は、当該リング状部材１５ａの開口部に挿入されることで分割カーラ１３の一端部１３ａに位置する引っ掛け部に引っ掛けられた状態とされ、当該引っ掛け部を基点に折り返されてこの折り返された部分が折り返されていない部分の締付けベルト２０に重ね合わされることで面ファスナ２４によって固定される。
【００５８】
ここで、本実施の形態におけるカフ１０Ｂにおいては、分割カーラ１３，１４間に位置するリング状部材１５ｃが、装着状態において橈骨動脈２１２が位置する部分の手首２００の表面と尺骨動脈２２２が位置する部分の手首２００の表面との間に宛がわれた部分に位置している。したがって、締付けベルト２０の一端部２０ａは、装着状態において橈骨動脈２１２が位置する部分の手首２００の表面と尺骨動脈２２２が位置する部分の手首２００の表面との間に宛がわれた部分の宛がい部材（具体的には、リング状部材１５ｃ）に固定されることになる。
【００５９】
このように構成することにより、カフ１０Ｂの手首２００への装着に際して、引っ掛け部に引っ掛けられた締付けベルト２０の他端部２０ｂ寄りの部分を当該引っ掛け部から遠ざかる方向に引っ張ることにより、締付けベルト２０によって分割カーラ１３，１４が手首２００に向けて締め付けられた状態とすることができ、この締付けベルト２０を引っ張った状態を維持しつつ、上述した面ファスナ２４によって締付けベルト２０を固定することにより、分割カーラ１３，１４によって圧迫用空気袋３０が手首２００に向けて押し付けられた状態とすることができる。そして、この状態で面ファスナ２４による締付けベルト２０の固定を行なうことにより、分割カーラ１３，１４によって圧迫用空気袋３０が手首２００に向けて押し付けられた状態を維持しつつカフ１０Ｂを手首２００に装着させることができる。
【００６０】
当該装着状態においては、引っ掛け部が設けられた分割カーラ１３の一端部１３ａとリング状部材１５ｃの取付部１５ｃ１が設けられた部分とを基点として、カフ１０Ｂの周方向に沿って宛がい部材に図中に示すＡ１，Ａ２方向およびＢ１，Ｂ２方向にそれぞれ引っ張り力が発生する。そのため、上述の本実施の形態におけるカフ１０Ａの場合と同様に、上述した引っ張り力が、それぞれ宛がい部材の周方向にわたってほぼ均等に加わることになる。したがって、本変形例の如くの構成のカフ１０Ｂとした場合にも、上述の本実施の形態の如くの構成のカフ１０Ａとした場合と同様の効果を得ることができる。
【００６１】
（第２変形例）
図７に示すように、第２変形例に係るカフ１０Ｃは、上述の本実施の形態におけるカフ１０Ａとその構成が左右逆転している。すなわち、本変形例に係るカフ１０Ｃは、手首２００中を延在する２つの動脈のうち、特に尺骨動脈２２２を圧迫用空気袋３０を用いて選択的に圧迫して血圧値の測定を行なうように構成されたものであり、この点において上述の本実施の形態におけるカフ１０Ａと構成が相違している。
【００６２】
具体的には、図７に示すように、本変形例に係るカフ１０Ｃにあっては、カーラ１２に設けられる切れ目が、橈骨形状突起が位置する部分の手首２００に対応する部分に設けられており、カーラ１２に設けられる固定用孔１２ｃ１が、装着状態において橈骨動脈２１２が位置する部分の手首２００の表面と尺骨動脈２２２が位置する部分の手首２００の表面との間に宛がわれた部分（図中において領域Ｄで示す部分）のカーラ１２に設けられている。
【００６３】
このように構成した場合には、カフ１０Ｃを手首２００に装着して血圧値を測定する際に、宛がい部材としてのカーラ１２を手首２００に向けてその周方向にわたって均等に締め付けることが可能になるため、圧迫対象である尺骨動脈２２２に対しては、所定のストロークをもってこれを圧迫用空気袋３０によって尺骨２２０側に向けて圧迫することが可能であり、また腱２３０や橈骨動脈２１２が位置する部分においても圧迫用空気袋３０によって手首２００を深さ方向に向けて適度な圧迫力にてこれを圧迫することができる。したがって、圧迫用空気袋３０による圧迫力を効率的に圧迫対象である尺骨動脈２２２に対して作用させることができ、尺骨動脈２２２をその周方向においてより均等に圧迫することができるようになる。したがって、上記構成のカフ１０Ｃとすることにより、尺骨動脈２２２に対する圧迫力の不足を生じ難くすることができ、その結果、当該構成のカフ１０Ｃを備えた血圧計とすることにより、高精度に血圧値を測定することが可能になる。
【００６４】
（第３変形例）
図８に示すように、第３変形例に係るカフ１０Ｄは、上述の本実施の形態におけるカフ１０Ａと宛がい部材の材質において相違している。上述の本実施の形態におけるカフ１０Ａにおいては、宛がい部材として筒状の湾曲弾性板を用いた場合を示したが、本変形例に係るカフ１０Ｄにおいては、宛がい部材として長手方向に伸縮性を有さない帯状の布部材１６を用いている。この布部材１６は、湾曲弾性板の如くの可撓性は有しておらず、任意の形状に自在に変形が可能である。
【００６５】
布部材１６の周方向の一端部１６ａには、リング状部材１５ａが取付けられており、布部材１６の周方向の他端部１６ｂには、リング状部材１５ｂが取付けられている。これらリング状部材１５ａ，１５ｂは、上述した第１変形例におけるリング状部材１５ａ，１５ｂと同様のものであり、いずれもたとえば金属材料や硬質の樹脂材料にて構成された略矩形状の外形を有する部材からなり、締付けベルト２０を挿通可能な開口部を有している。このうち、リング状部材１５ａの開口部は、布部材１６の一端部１６ａに締付けベルト２０を引っ掛け可能にするための引っ掛け部を形成するための孔である。
【００６６】
締付けベルト２０の長手方向の一端部２０ａは、上述した布部材１６の所定位置にたとえば縫合等することによって固定されている。この締付けベルト２０の一端部２０ａが固定された固定部１６ｃは、布部材１６の、装着状態において橈骨動脈２１２が位置する部分の手首２００の表面と尺骨動脈２２２が位置する部分の手首２００の表面との間に位置している。
【００６７】
締付けベルト２０は、装着状態において布部材１６の他端部１６ｂ寄りの部分を覆うように巻き付けられ、布部材１６の他端部１６ｂに取付けられたリング状部材１５ｂの開口部に対して外側から内側に向けて挿し込まれ、さらに布部材１６の一端部１６ａに取付けられたリング状部材１５ａの開口部に対して内側から外側に向けて挿し込まれている。そして、締付けベルト２０は、当該リング状部材１５ａの開口部に挿入されることで布部材１６の一端部１６ａに位置する引っ掛け部に引っ掛けられた状態とされ、当該引っ掛け部を基点に折り返されてこの折り返された部分が折り返されていない部分の締付けベルト２０に重ね合わされることで面ファスナ２４によって固定される。
【００６８】
当該装着状態においては、引っ掛け部が設けられた布部材１６の一端部１６ａと締付けベルト２０の一端部２０ａが固定された布部材１６の部分とを基点として、カフ１０Ｄの周方向に沿って布部材１６に図中に示すＡ１，Ａ２方向およびＢ１，Ｂ２方向にそれぞれ引っ張り力が発生する。そのため、上述の本実施の形態におけるカフ１０Ａの場合と同様に、上述した引っ張り力が、それぞれ宛がい部材の周方向にわたってほぼ均等に加わることになる。したがって、本変形例の如くの構成のカフ１０Ｄとした場合にも、上述の本実施の形態の如くの構成のカフ１０Ａとした場合と同様の効果を得ることができる。
【００６９】
（第４変形例）
図９に示すように、第４変形例に係るカフ１０Ｅは、上述の本実施の形態におけるカフ１０Ａと宛がい部材の構成において相違している。上述の本実施の形態におけるカフ１０Ａにおいては、宛がい部材として、周方向に１箇所のみ切れ目を有する筒状の湾曲弾性板を用いた場合を示したが、本変形例に係るカフ１０Ｂにおいては、宛がい部材として、略同一形状のパーツを複数個周方向に並べて配置し、これら周方向に並べて配置した複数のパーツのうちの隣接するもの同士を連結ピンにて回転可能に連結したものを用いている。このように構成することにより、宛がい部材を任意の形状に変化可能なベルト状の自在変形部材１７とすることができ、装着状態において当該自在変形部材１７を手首２００にフィットさせることができる。
【００７０】
複数のパーツが連結されて構成された自在変形部材１７の周方向の一端部に位置するパーツ１７ａには、挿通孔１７ａ１が設けられており、当該自在変形部材１７の周方向の他端部に位置するパーツ１７ｂには、挿通孔１７ｂ１が設けられている。このうち、自在変形部材１７の一端部に位置するパーツ１７ａに設けられた挿通孔１７ａ１は、当該自在変形部材１７の一端部に締付けベルト２０を引っ掛け可能にするための引っ掛け部を形成するための孔である。また、自在変形部材１７の周方向の所定位置に位置するパーツ１７ｃには、外側に向かって突出する取付部１７ｃ１が設けられている。このパーツ１７ｃに設けられた取付部１７ｃ１には、締付けベルト２０の一端部２０ａが固定される。
【００７１】
締付けベルト２０は、装着状態において自在変形部材１７の他方端よりの部分を覆うように巻き付けられ、自在変形部材１７の他端部に位置するパーツ１７ｂに設けられた挿通孔１７ｂ１に対して外側から内側に向けて挿し込まれ、さらに自在変形部材１７の一端部に位置するパーツ１７ａに設けられた挿通孔１７ａ１に対して内側から外側に向けて挿し込まれている。そして、締付けベルト２０は、自在変形部材１７の一端部に位置するパーツ１７ａに設けられた挿通孔１７ａ１に挿入されることで自在変形部材１７の一端部に位置する引っ掛け部に引っ掛けられた状態とされ、当該引っ掛け部を基点に折り返されてこの折り返された部分が折り返されていない部分の締付けベルト２０に重ね合わされることで面ファスナ２４によって固定される。
【００７２】
ここで、本実施の形態におけるカフ１０Ｅにおいては、取付部１７ｃ１が設けられたパーツ１７ｃが、装着状態において橈骨動脈２１２が位置する部分の手首２００の表面と尺骨動脈２２２が位置する部分の手首２００の表面との間に宛がわれた部分に位置している。したがって、締付けベルト２０の一端部２０ａは、装着状態において橈骨動脈２１２が位置する部分の手首２００の表面と尺骨動脈２２２が位置する部分の手首２００の表面との間に宛がわれた部分の宛がい部材（具体的には、パーツ１７ｃ）に固定されることになる。
【００７３】
このように構成することにより、カフ１０Ｅの手首２００への装着に際して、引っ掛け部に引っ掛けられた締付けベルト２０の他端部２０ｂ寄りの部分を当該引っ掛け部から遠ざかる方向に引っ張ることにより、締付けベルト２０によって自在変形部材１７が手首２００に向けて締め付けられた状態とすることができ、この締付けベルト２０を引っ張った状態を維持しつつ、上述した面ファスナ２４によって締付けベルト２０を固定することにより、自在変形部材１７によって圧迫用空気袋３０が手首２００に向けて押し付けられた状態とすることができる。そして、この状態で面ファスナ２４による締付けベルト２０の固定を行なうことにより、自在変形部材１７によって圧迫用空気袋３０が手首２００に向けて押し付けられた状態を維持しつつカフ１０Ｅを手首２００に装着させることができる。
【００７４】
当該装着状態においては、自在変形部材１７の引っ掛け部が設けられたパーツ１７ａが位置する部分と取付部１７ｃ１が設けられたパーツ１７ｃが位置する部分とを基点として、カフ１０Ｅの周方向に沿って自在変形部材１７に図中に示すＡ１，Ａ２方向およびＢ１，Ｂ２方向にそれぞれ引っ張り力が発生する。そのため、上述の本実施の形態におけるカフ１０Ａの場合と同様に、上述した引っ張り力が、それぞれ宛がい部材の周方向にわたってほぼ均等に加わることになる。したがって、本変形例の如くの構成のカフ１０Ｅとした場合にも、上述の本実施の形態の如くの構成のカフ１０Ａとした場合と同様の効果を得ることができる。
【００７５】
（実施の形態２）
本発明の実施の形態２における血圧情報測定装置は、上述の本発明の実施の形態１における血圧情報測定装置と同様に、手首中を延在する橈骨動脈をカフに内包された空気袋を用いて圧迫し、橈骨動脈の内圧の変動を空気袋の内圧の変動として捉え、これに基づいて収縮期血圧値および拡張期血圧値等の血圧値を測定する、いわゆる手首式の血圧計である。
【００７６】
図１０は、本発明の実施の形態２における血圧計の機能ブロックの構成を示すブロック図である。また、図１１および図１２は、本実施の形態におけるカフを手首に装着した状態を示す図であり、図１１は圧迫用空気袋を膨張させる前の状態を示す断面図であり、図１２は膨張させた後の状態を示す断面図である。次に、これら図１０ないし図１２を参照して、本実施の形態における血圧計の構成およびこれに具備されるカフの構造について詳説する。なお、図１１および図１２においては、カフの表面を覆う外装カバーの図示は省略している。
【００７７】
本実施の形態における血圧計１００Ｂは、その外観構造において上述の本発明の実施の形態１における血圧計１００Ａに近似している。また、本実施の形態における血圧計１００Ｂの機能ブロックにおいても、その構成が上述の本発明の実施の形態１における血圧計１００Ａに近似している。したがって、上述した本発明の実施の形態１における血圧計１００Ａと共通の構成については、その説明を繰り返さない。
【００７８】
図１０に示すように、本実施の形態における血圧計１００Ｂにあっては、カフ１０Ｆが、圧迫用流体袋としての圧迫用空気袋３０に加え、押圧用流体袋としての押圧用空気袋４０を具備している。圧迫用空気袋３０は、圧迫対象である橈骨動脈を特に選択的に圧迫するための空気袋であり、押圧用空気袋４０は、尺骨動脈近傍の生体組織や腱近傍の生体組織を手首の内側に向けて押圧するための空気袋である。そのため、本実施の形態における血圧計１００Ｂにあっては、本体１１０が、圧迫用空気袋３０に対応して設けられたエア系コンポーネント１４０およびこれに付随する各種回路に加え、押圧用空気袋４０に対応して設けられたエア系コンポーネント１５０およびこれに付随する各種回路を備えている。
【００７９】
具体的には、図１０に示すように、押圧用空気袋４０を加減圧するためのエア系コンポーネント１５０は、加圧ポンプ１５１と、排気弁１５２と、圧力センサ１５３とを含んでいる。加圧ポンプ１５１、排気弁１５２および圧力センサ１５３は、それぞれエア管８２を介して後述する押圧用空気袋４０に接続されている。本体１１０には、これら加圧ポンプ１５１、排気弁１５２および圧力センサ１５３に応じて加圧ポンプ駆動回路１５５、排気弁駆動回路１５６および発振回路１５７がそれぞれ設けられている。
【００８０】
加圧ポンプ１５１は、押圧用空気袋４０の内部に空気を送り込むことにより押圧用空気袋４０を膨張させるための加圧手段である。加圧ポンプ駆動回路１５５は、ＣＰＵ１３０から入力される制御信号に基づいて加圧ポンプ１５１の動作を制御する。排気弁１５２は、開状態において押圧用空気袋４０の内部の空間から空気を外部に排気して押圧用空気袋４０を収縮させるための減圧手段であり、閉状態において押圧用空気袋４０の内圧を維持する圧力維持手段でもある。排気弁駆動回路１５６は、ＣＰＵ１３０から入力される制御信号に基づいて排気弁１５２の開閉動作を制御する。なお、加圧ポンプ１５１および排気弁１５２が、押圧用空気袋４０の内圧を調整する膨縮機構に相当する。
【００８１】
圧力センサ１５３は、押圧用空気袋４０の内圧を検出する圧力検知部に相当し、押圧用空気袋４０の内圧に応じた出力信号を発振回路１５７に向けて出力する。発振回路１５７は、圧力センサ１５３から入力された信号に応じた発振周波数の信号を生成し、生成した信号をＣＰＵ１３０に向けて出力する。
【００８２】
図１１および図１２に示すように、押圧用空気袋４０は、膨張することで宛がい部材としてのカーラ１２の他端部１２ｂ寄りの部分を手首２００に向けて押圧するための部材であり、装着状態においてカーラ１２の周方向の他端部１２ｂ寄りの部分と締付けベルト２０との間に配置されている。より詳細には、押圧用空気袋４０は、その周方向の一端部が腱２３０が位置する部分の手首２００の表面上に位置し、その周方向の他端部が尺骨動脈２２２が位置する部分の手首２００の表面上よりもさらにカーラ１２の他端部１２ｂ寄りの位置にまで達するように配置されている。
【００８３】
押圧用空気袋４０は、好適には樹脂シートを用いて形成された袋状の部材からなる。押圧用空気袋４０としては、たとえば２枚の樹脂シートを重ね合わせ、その周縁を溶着することによって袋状に形成されたものが利用される。押圧用空気袋４０の内部の空間は、図示しないニップルを介して上述のエア管８２に接続されており、上述のエア系コンポーネント１５０のうちの加圧ポンプ１５１および排気弁１５２によってその加減圧が行なわれる。なお、押圧用空気袋４０を構成する樹脂シートの材質としては、伸縮性に富んでおり溶着後において膨縮空間からの漏気がないものであればどのようなものでも利用可能である。このような観点から、樹脂シートの好適な材質としては、エチレン−酢酸ビニル共重合体（ＥＶＡ）、軟質塩化ビニル（ＰＶＣ）、ポリウレタン（ＰＵ）、ポリアミド（ＰＡ）、生ゴム等が挙げられる。
【００８４】
なお、本実施の形態におけるカフ１０Ｆにおいても、締付けベルト２０の一端部２０ａは、装着状態において橈骨動脈２１２が位置する部分の手首２００の表面と尺骨動脈２２２が位置する部分の手首２００の表面との間に宛がわれた部分のカーラ１２に固定されており、締付けベルト２０は、装着状態においてカーラ１２の他端部１２ｂ寄りの部分を覆った状態でカーラ１２の一端部１２ａに設けられた引っ掛け部に引っ掛けられることで折り返され、この折り返された部分が折り返されていない部分の締付けベルト２０に重ね合わされることで面ファスナ２４によって固定される。
【００８５】
図１３は、本実施の形態における血圧計の血圧値の測定処理の流れを示すフローチャートである。次に、この図１３を参照して、本実施の形態における血圧計の血圧値の測定処理の流れについて説明する。なお、このフローチャートに従うプログラムは、メモリ部１７０に予め記憶されて、ＣＰＵ１３０がメモリ部１７０からこのプログラムを読み出し実行することにより血圧値の測定処理が行なわれる。
【００８６】
図１３に示すように、被験者が血圧計１００Ｂの操作部１９０の操作ボタンを操作して電源をオンにすると、電源部１８０からＣＰＵ１３０に対して電源としての電力が供給され、これによりＣＰＵ１３０が駆動し、血圧計１００Ｂの初期化がなされる（ステップＳ２０１）。ここで、被験者は、予めカフ１０Ｆを手首２００に装着しておく。
【００８７】
次に、ＣＰＵ１３０は、測定可能状態になると、排気弁１５２を閉塞させるとともに加圧ポンプ１５１の駆動を開始し、押圧用空気袋４０の内圧を所定の値にまで上昇させる（ステップＳ２０２）。
【００８８】
次に、ＣＰＵ１３０は、排気弁１４２を閉塞させるとともに加圧ポンプ１４１の駆動を開始し、圧迫用空気袋３０のカフ圧を上昇させる（ステップＳ２０３）。この圧迫用空気袋３０を加圧する過程において、血圧値測定のための所定レベルにまでカフ圧が達すると、ＣＰＵ１３０は、加圧ポンプ１４１を停止し、次いで閉じていた排気弁１４２を徐々に開放させて圧迫用空気袋３０内の空気を徐々に排気し、カフ圧を徐々に減圧させる（ステップＳ２０４）。本実施の形態における血圧計１００Ｂにおいては、このカフ圧の微速減圧過程において血圧値を測定する。
【００８９】
次に、ＣＰＵ１３０は公知の手順で収縮期血圧値および拡張期血圧値等の血圧値を算出する（ステップＳ２０５）。具体的には、圧迫用空気袋３０のカフ圧が徐々に減圧する過程において、ＣＰＵ１３０は、発振回路１４７から得られる発振周波数に基づき脈波情報を抽出する。そして、抽出された脈波情報により血圧値を算出する。ステップＳ２０５において血圧値が算出されると、ＣＰＵ１３０は、算出された血圧値を表示部１６０に表示する（ステップＳ２０６）。
【００９０】
その後、ＣＰＵ１３０は、押圧用空気袋４０および圧迫用空気袋３０を開放し、これら空気袋内の空気を完全に排気する。以上により、血圧値の測定が完了する。なお、本実施の形態における血圧計１００Ｂにおいても加圧測定方式が採用できることは、上記本発明の実施の形態１における血圧計１００Ａの場合と同様である。
【００９１】
以上において説明した本実施の形態におけるカフ１０Ｆとした場合にも、上述の実施の形態１におけるカフ１０Ａとした場合と同様の効果を得ることができる。すなわち、カフ１０Ｆを手首２００に装着して血圧値を測定する際に、宛がい部材としてのカーラ１２を手首２００に向けてその周方向にわたって均等に締め付けることが可能になるため、圧迫用空気袋３０による圧迫力を効率的に圧迫対象である橈骨動脈２１２に対して作用させることができ、橈骨動脈２１２をその周方向においてより均等に圧迫することができるようになる。したがって、上記構成のカフ１０Ｆとすることにより、橈骨動脈２１２に対する圧迫力の不足を生じ難くすることができ、その結果、当該構成のカフ１０Ｆを備えた血圧計１００Ｂとすることにより、高精度に血圧値を測定することが可能になる。
【００９２】
さらには、本実施の形態におけるカフ１０Ｆにあっては、圧迫用空気袋３０を用いて橈骨動脈２１２を圧迫する際に、押圧用空気袋４０を用いて腱２３０が位置する部分や手首２００の尺骨動脈２２２が位置する部分に対応する部分のカーラ１２が手首２００から浮き上がることを防止することで当該部分に対応する部分の圧迫用空気袋３０が余計に膨張することが防止できるため、圧迫用空気袋３０による圧迫力を橈骨動脈２１２に効率よく作用させることができる。したがって、上記構成のカフ１０Ｆとすることにより、橈骨動脈２１２に対する圧迫力の不足をより生じ難くすることができ、その結果、当該構成のカフ１０Ｆを備えた血圧計１００Ｂとすることにより、より高精度に血圧値を測定することができる。
【００９３】
図１４は、本発明の実施の形態２における血圧計の機能ブロックの他の構成例を示すブロック図である。上述した本実施の形態における血圧計１００Ｂにおいては、図１０を参照して、圧迫用空気袋３０および押圧用空気袋４０のそれぞれに対応してエア系コンポーネント１４０，１５０およびそれに付随する回路が設けられていた。しかしながら、これらエア系コンポーネントおよびそれに付随する回路を圧迫用空気袋３０と押圧用空気袋４０とで共有化することも可能である。
【００９４】
図１４に示すように、本構成例における血圧計１００Ｃにあっては、エア管８１および８２を三方弁１４９に接続し、当該三方弁１４９の残る１つの接続口をエア系コンポーネント１４０に接続し、当該三方弁１４９を三方弁駆動回路１４８で切換えて使用することにより、圧迫用空気袋３０と押圧用空気袋４０とでエア系コンポーネント１４０を共有化している。このように構成すれば、エア系コンポーネント１４０および１５０およびそれに付随する回路を２組ずつ設ける必要がなくなり、部品点数の削減が可能となって製造コストを抑制することができる。
【００９５】
なお、上述した本実施の形態およびその変形例に係る血圧計１００Ｂ，１００Ｃにおいては、押圧用空気袋４０を先に膨張させ、その後に圧迫用空気袋３０を膨張させる構成を採用していた。しかしながら、必ずしもこのような順序で押圧用空気袋４０および圧迫用空気袋３０を膨張させる必要はない。より迅速な測定を行なうためには、押圧用空気袋４０および圧迫用空気袋３０を同時に加圧する方式を採用してもよいし、同時に加圧する際に押圧用空気袋４０の内圧が圧迫用空気袋３０の内圧よりも常に高く維持されるような加圧方式を採用してもよい。
【００９６】
（実施の形態３）
本発明の実施の形態３における血圧情報測定装置は、手首中を延在する橈骨動脈をカフに内包された空気袋を用いて軽圧迫し、この軽圧迫状態を維持しつつカフに設けられた光電センサを用いて橈骨動脈の容積脈波を光学的な手法により測定する、いわゆる手首式の脈波計である。
【００９７】
図１５は、本発明の実施の形態３におけるカフを備える脈波計の構成を示す機能ブロック図である。まず、この図１５を参照して、本実施の形態における脈波計の構成について説明する。
【００９８】
本実施の形態における脈波計１００Ｄは、その外観構造において上述の本発明の実施の形態１における血圧計１００Ａに近似している。また、本実施の形態における脈波計１００Ｄの機能ブロックにおいても、その構成が上述の本発明の実施の形態１における血圧計１００Ａに近似している。したがって、上述した本発明の実施の形態１における血圧計１００Ａと共通の構成については、その説明を繰り返さない。
【００９９】
図１５に示すように、脈波計１００Ｄは、本体１１０と、カフ１０Ｇとを有する。本体１１０は、図２において説明した機能ブロックに加え、駆動部としての発光素子駆動回路１２１と、受光量検出部としての受光量検出回路１２２とをさらに備えている。また、カフ１０Ｇは、図２において説明した機能ブロックに加え、光電センサ６０をさらに備えている。光電センサ６０は、手首中を延在する測定対象としての橈骨動脈に向けて光を照射する発光部としての発光素子６１と、当該発光素子６１による光の照射に伴って橈骨動脈が位置する部分およびその近傍の生体組織を透過した光を受光する受光部としての受光素子６２とを有している。受光素子６２は、受光した光の光量に応じた出力信号を出力する。
【０１００】
発光素子６１および受光素子６２としては、半導体発光素子および半導体受光素子が好適に利用される。動脈内容積変動を精度良く検出するためには、生体組織を透過し易い近赤外光を検出光として利用することが好ましく、発光素子６１および受光素子６２としては、この近赤外光を照射および受光可能なものがそれぞれ好適に利用される。より具体的には、発光素子６１から照射されて受光素子６２にて受光される検出光としては、波長９４０ｎｍ付近の近赤外光が特に好適に使用される。なお、検出光としては、上記９４０ｎｍ付近の近赤外光に限られず、波長４５０ｎｍ付近の光や波長１１００ｎｍ付近の光等も使用可能である。
【０１０１】
発光素子駆動回路１２１は、ＣＰＵ１３０の制御信号に基づいて発光素子６１を発光させるための回路であり、所定量の電流を発光素子６１に印加することにより、発光素子６１を発光させるものである。発光素子６１に印加される電流としては、たとえば５０ｍＡ程度の直流電流が使用される。発光素子駆動回路１２１としては、好適には、発光素子６１に所定のデューティでパルス電流を供給することによって発光素子６１を周期的にパルス発光させる回路が利用される。このように発光素子６１をパルス発光させることとすれば、発光素子６１への単位時間当たりの印加電力を抑制することが可能になり、発光素子６１の温度上昇を防ぐことが可能になる。なお、発光素子６１の駆動周波数としては、検出すべき動脈内容積変動に含まれる周波数成分（おおよそ３０Ｈｚ）よりも十分に高い周波数（たとえば３ｋＨｚ程度）とすることにより、より精緻に動脈内容積変動を取得することが可能になる。
【０１０２】
受光量検出回路１２２は、受光素子６２から入力された信号に基づいて受光量に応じた電圧信号を生成し、これをＣＰＵ１３０に向けて出力するための回路である。受光素子６２によって検出される光の光量は動脈内容積に比例して変化するため、受光量検出回路１２２にて生成される電圧信号も動脈内容積に比例して変化することになり、これにより容積脈波が電圧値変動として捉えられることになる。ここで、受光量検出回路１２２は、たとえばアナログフィルタ回路、整流回路、増幅回路、Ａ／Ｄ（Analog/Digital）変換回路等の処理回路を含んでおり、アナログ値として入力された信号をデジタル値化した電圧信号として出力する。
【０１０３】
脈波計１００Ｄにおいては、エア系コンポーネント１４０は、容積脈波の測定に際して手首内の橈骨動脈を軽圧迫状態に保つため、圧迫用空気袋３０に空気を供給または排出する役割を果たす。これに伴い、ＣＰＵ１３０は、加圧ポンプ１４１および排気弁１４２の動作を制御するとともに、発振回路１４７から入力された信号に基づいて圧迫用空気袋３０の内圧を検知し、これにより圧迫用空気袋３０による橈骨動脈への圧迫力を計測する。また、ＣＰＵ１３０は、発光素子６１を駆動するための制御信号を発光素子駆動回路１２１に入力する。ＣＰＵ１３０は、受光量検出回路１２２から入力された電圧信号に基づいて容積脈波を取得する。取得された容積脈波情報は、測定結果としてメモリ部１７０や表示部１６０に入力される。
【０１０４】
図１６は、本発明の実施の形態３におけるカフを手首に装着した状態を示す断面図である。次に、この図１６を参照して、本実施の形態における脈波計のカフの構造について詳説する。なお、図１６においては、カフの表面を覆う外装カバーの図示は省略している。
【０１０５】
上述したように、本実施の形態におけるカフ１０Ｇは、上述した本発明の実施の形態１におけるカフと共通の構成を有しており、さらに光電センサ６０を有している。具体的には、図１６に示すように、光電センサ６０は、圧迫用空気袋３０の内部でかつカーラ１２に接する側の圧迫用空気袋３０の主面上に設けられている。ここで、発光素子６１および受光素子６２は、それぞれ回路基板上に実装されており、当該回路基板が圧迫用空気袋３０に取り付けられている。これにより、光電センサ６０は、圧迫用空気袋３０によってその発光面および受光面が覆われることになるが、圧迫用空気袋３０を当該検出光を透過可能な材料にて形成することにより、当該検出光により容積脈波の測定が可能になる。
【０１０６】
なお、本実施の形態におけるカフ１０Ｇにおいても、締付けベルト２０の一端部２０ａは、装着状態において橈骨動脈２１２が位置する部分の手首２００の表面と尺骨動脈２２２が位置する部分の手首２００の表面との間に宛がわれた部分のカーラ１２に固定されており、締付けベルト２０は、装着状態においてカーラ１２の他端部１２ｂ寄りの部分を覆った状態でカーラ１２の一端部１２ａに設けられた引っ掛け部に引っ掛けられることで折り返され、この折り返された部分が折り返されていない部分の締付けベルト２０に重ね合わされることで面ファスナ２４によって固定される。
【０１０７】
図１７は、本発明の実施の形態３における脈波計による容積脈波の測定処理の流れを示すフローチャートである。次に、この図１７を参照して、本実施の形態における脈波計の容積脈波の測定処理の流れについて説明する。なお、このフローチャートに従うプログラムは、メモリ部１７０に予め記憶されて、ＣＰＵ１３０がメモリ部１７０からこのプログラムを読み出し実行することにより容積脈波の測定処理が行なわれる。
【０１０８】
図１７に示すように、被験者が脈波計１００Ｄの操作部１９０の操作ボタンを操作して電源をオンにすると、電源部１８０からＣＰＵ１３０に対して電源としての電力が供給され、これによりＣＰＵ１３０が駆動し、脈波計１００Ｄの初期化がなされる（ステップＳ３０１）。ここで、被験者は、予めカフ１０Ｇを手首２００に装着しておく。
【０１０９】
次に、ＣＰＵ１３０は、測定可能状態になると、排気弁１４２を閉塞させるとともに加圧ポンプ１４１の駆動を開始する。これにより、圧迫用空気袋３０には空気が送り込まれ、圧迫用空気袋３０によって手首２００の軽圧迫が開始される（ステップＳ３０２）。加圧ポンプ１４１を用いた圧迫用空気袋３０の加圧は、圧迫用空気袋３０が橈骨動脈２１２を軽圧迫することが可能な所定の内圧に達するまで行なわれる。なお、上記加圧後は、圧迫用空気袋３０の内圧が維持され、手首２００の軽圧迫状態が保持される。
【０１１０】
次に、ＣＰＵ１３０は、発光素子駆動回路１２１を介して発光素子６１の駆動を開始する（ステップＳ３０３）。これにより、発光素子６１から橈骨動脈２１２を含む手首に向けて検出光が照射されるようになる。また、上記発光素子６１の駆動と並行して、受光量検出回路１２２は、受光素子６２から入力される信号に基づいてデジタル値化された電圧信号を生成し（ステップＳ３０４）、これをＣＰＵ１３０に入力する。ＣＰＵ１３０は、入力された電圧信号に基づいて容積脈波を取得する（ステップＳ３０５）。取得された容積脈波は、測定結果としてメモリ部１７０に格納され（ステップＳ３０６）、その後、表示部１６０において表示される（ステップＳ３０７）。ここで、表示部１６０は、容積脈波をたとえば波形として表示する。
【０１１１】
このステップＳ３０４からステップＳ３０７からなる一連の動作は、所定の停止条件（たとえば、被験者による測定停止の命令の入力やタイマー回路による設定時間の経過等）が成立するまでの間、繰り返し行なわれる（ステップＳ３０８においてＮＯの場合）。そして、所定の停止条件が成立すると（ステップＳ３０８においてＹＥＳの場合）、ＣＰＵ１３０は、発光素子駆動回路１２１に対して発光素子６１の駆動解除の指令を行なうとともに、排気弁１４２を開状態とする指令を出す。これにより、発光素子６１の駆動は停止され（ステップＳ３０９）、圧迫用空気袋３０内の空気の排気が行なわれて軽圧迫状態が解除される（ステップＳ３１０）。そして、脈波計１００Ｄは待機状態をとり、被験者の操作部１９０による電源オフの命令の入力を待って電源としての電力の供給を停止する。以上により、時々刻々と変化する容積脈波をリアルタイムに取得することが可能になる。
【０１１２】
以上において説明した本実施の形態におけるカフ１０Ｇとした場合にも、上述の実施の形態１におけるカフ１０Ａとした場合と同様の効果を得ることができる。すなわち、カフ１０Ｄを手首２００に装着して血圧値を測定する際に、宛がい部材としてのカーラ１２を手首２００に向けてその周方向にわたって均等に締め付けることが可能になるため、圧迫用空気袋３０による圧迫力を効率的に圧迫対象である橈骨動脈２１２に対して作用させることができ、橈骨動脈２１２をその周方向においてより均等に圧迫することができるようになる。したがって、上記構成のカフ１０Ｇとすることにより、橈骨動脈２１２に対する圧迫力の不足を生じ難くすることができ、その結果、当該構成のカフ１０Ｇを備えた脈波計１００Ｄとすることにより、高精度に容積脈波を測定することが可能になる。
【０１１３】
また、上記構成のカフ１０Ｇとした場合には、上述したように、宛がい部材としてのカーラ１２によって手首２００をその周方向において均等に締め付けることができるため、容積脈波検出手段としての光電センサに予期しない傾きが生じることが防止できる。したがって、当該構成のカフ１０Ｇを具備した脈波計１００Ｄとすることにより、高精度に容積脈波の測定が行なえることになる。
【０１１４】
以上において説明した本発明の実施の形態およびその変形例においては、宛がい部材の一端部のみならず他端部にも締付けベルトが挿通される挿通孔（または開口部）を形成した場合を例示したが、当該他端部には必ずしもこのような挿通孔（または開口部）を設ける必要はない。
【０１１５】
また、上述した本発明の実施の形態およびその変形例においては、外装カバーに設けられた面ファスナを用いてカフが手首に固定されるように構成したものを例示して説明を行なったが、固定手段としては、他にも帯状のカフバンドや結束バンド、ラチェットベルトのようなものが利用可能であり、巻付け長さが装着される手首の周長に応じて調節できかつ確実に取付け状態が維持できるものであればどのようなものでも利用が可能である。
【０１１６】
また、上述した本発明の実施の形態３においては、光電センサを圧迫用空気袋の内部に設けた場合を例示して説明を行なったが、この他にも宛がい部材の内面側に光電センサを埋設したり、圧迫用空気袋の表面等に光電センサを取り付けたりしてもよい。
【０１１７】
また、上述した本発明の実施の形態およびその変形例において示した特徴的な構成は、相互に組合わせることが当然に可能である。
【０１１８】
さらに、上述の本発明の実施の形態およびその変形例においては、血圧情報測定装置として収縮期血圧値、拡張期血圧値等の血圧値を測定する血圧計、および容積脈波を測定する脈波計を例示して説明を行なったが、本発明は、ＡＩ値や脈拍、平均血圧値、酸素飽和度等を測定可能にする血圧情報測定装置にもその適用が当然に可能である。
【０１１９】
このように、今回開示した上記各実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【０１２０】
【図１】本発明の実施の形態１における血圧計の外観構造を示す斜視図である。
【図２】本発明の実施の形態１における血圧計の機能ブロックの構成を示すブロック図である。
【図３】本発明の実施の形態１におけるカフを手首に装着した状態を示す図であり、圧迫用空気袋を膨張させる前の状態を示す断面図である。
【図４】本発明の実施の形態１におけるカフを手首に装着した状態を示す図であり、圧迫用空気袋を膨張させた後の状態を示す断面図である。
【図５】本発明の実施の形態１における血圧計の血圧値の測定処理の流れを示すフローチャートである。
【図６】本発明の実施の形態１におけるカフの第１変形例を示す断面図である。
【図７】本発明の実施の形態１におけるカフの第２変形例を示す断面図である。
【図８】本発明の実施の形態１におけるカフの第３変形例を示す断面図である。
【図９】本発明の実施の形態１におけるカフの第４変形例を示す断面図である。
【図１０】本発明の実施の形態２における血圧計の機能ブロックの構成を示すブロック図である。
【図１１】本発明の実施の形態２におけるカフを手首に装着した状態を示す図であり、圧迫用空気袋を膨張させる前の状態を示す断面図である。
【図１２】本発明の実施の形態２におけるカフを手首に装着した状態を示す図であり、圧迫用空気袋を膨張させた後の状態を示す断面図である。
【図１３】本発明の実施の形態２における血圧計の血圧値の測定処理の流れを示すフローチャートである。
【図１４】本発明の実施の形態２における血圧計の機能ブロックの他の構成例を示すブロック図である。
【図１５】本発明の実施の形態３における脈波計の機能ブロックの構成を示すブロック図である。
【図１６】本発明の実施の形態３におけるカフを手首に装着した状態を示す図であり、圧迫用空気袋を膨張させた後の状態を示す断面図である。
【図１７】本発明の実施の形態３における脈波計の容積脈波の測定処理の流れを示すフローチャートである。
【符号の説明】
【０１２１】
１０Ａ〜１０Ｇ  カフ、１１  外装カバー、１２  カーラ、１２ａ  一端部、１２ａ１  挿通孔、１２ｂ  他端部、１２ｂ１  挿通孔、１２ｃ  取付部、１２ｃ１  固定用孔、１３，１４  分割カーラ、１３ａ，１４ａ  一端部、１３ｂ，１４ｂ  他端部、１５ａ〜１５ｃ  リング状部材、１５ｃ１  取付部、１６  布部材、１６ａ  一端部、１６ｂ  他端部、１６ｃ  固定部、１７  自在変形部材、１７ａ〜１７ｃ  パーツ、１７ａ１，１７ｂ１  挿通孔、１７ｃ１  取付部、２０  締付けベルト、２０ａ  一端部、２０ｂ  他端部、２４  面ファスナ、３０  圧迫用空気袋、４０  押圧用空気袋、６０  光電センサ、６１  発光素子、６２  受光素子、８１，８２  エア管、１００Ａ〜１００Ｃ  血圧計、１００Ｄ  脈波計、１１０  本体、１２１  発光素子駆動回路、１２２  受光量検出回路、１４０，１５０  エア系コンポーネント、１４１，１５１  加圧ポンプ、１４２，１５２  排気弁、１４３，１５３  圧力センサ、１４５，１５５  加圧ポンプ駆動回路、１４６，１５６  排気弁駆動回路、１４７，１５７  発振回路、１４８  三方弁駆動回路、１４９  三方弁、１６０  表示部、１７０  メモリ部、１８０  電源部、１９０  操作部、２００  手首、２１０  橈骨、２１２  橈骨動脈、２２０  尺骨、２２２  尺骨動脈、２３０  腱。
【図１】
2010119447.tif 000003
【図２】
2010119447.tif 000004
【図３】
2010119447.tif 000005
【図４】
2010119447.tif 000006
【図５】
2010119447.tif 000007
【図６】
2010119447.tif 000008
【図７】
2010119447.tif 000009
【図８】
2010119447.tif 000010
【図９】
2010119447.tif 000011
【図１０】
2010119447.tif 000012
【図１１】
2010119447.tif 000013
【図１２】
2010119447.tif 000014
【図１３】
2010119447.tif 000015
【図１４】
2010119447.tif 000016
【図１５】
2010119447.tif 000017
【図１６】
2010119447.tif 000018
【図１７】
2010119447.tif 000019